(57)【要約】【課題】翌日以降の価格を考慮してユーザの買物を支援することができる購買支援システムを構築する。【解決手段】サーバ１は、各商品とその商品を販売している店舗とを関連付ける情報を記憶する店舗データベース１２と、各店舗でそれぞれ販売される商品の本日以降の価格情報を店舗別に記憶する店舗別価格データベース１６とを設ける。ユーザ端末３から購入予定商品を含む問合せ要求コマンドを受信すると、店舗データベース１２のデータに基づいて当該購入予定商品を販売している店舗を検索する。購入予定商品を販売している店舗が検索されると、店舗別価格データベース１６のデータに基づいて購入予定商品を販売している各店舗それぞれの当該購入予定商品の本日以降の日別価格情報を取得し、問合せ要求送信元のユーザ端末３に送信する。【選択図】      図１
2007257404.tif 000002
【特許請求の範囲】
【請求項１】
１または２以上のユーザ端末とネットワークを介して送受信可能に接続され、前記ユーザ端末に対してユーザの買物を支援するための情報を提供する購買支援サーバにおいて、
各商品とその商品を販売している店舗とを関連付ける情報を記憶する商品／店舗情報記憶手段と、
各店舗でそれぞれ販売される商品の本日以降の価格情報を店舗別に記憶する店舗別価格情報記憶手段と、
前記ユーザ端末から購入予定商品を含む問合せ要求コマンドを受信すると、前記商品／店舗情報記憶手段により記憶されているデータに基づいて当該購入予定商品を販売している店舗を検索する販売店舗検索手段と、
この販売店舗検索手段により前記購入予定商品を販売している店舗が検索されると、前記店舗別価格情報記憶手段により記憶されているデータに基づいて前記購入予定商品を販売している各店舗それぞれの当該購入予定商品の本日以降の日別価格情報を取得する店舗別日別価格情報取得手段と、
この店舗別日別価格情報取得手段により取得した前記各店舗それぞれの当該購入予定商品の本日以降の日別価格情報を前記問合せ要求送信元のユーザ端末に送信する価格情報返信手段と、
を具備したことを特徴とする購買支援サーバ。
【請求項２】
１または２以上のユーザ端末とネットワークを介して送受信可能に接続され、前記ユーザ端末に対してユーザの買物を支援するための情報を提供する購買支援サーバにおいて、
各店舗とその店舗の所在地域とを関連付ける情報を記憶する店舗／地域情報記憶手段と、
各商品とその商品を販売している店舗とを関連付ける情報を記憶する商品／店舗情報記憶手段と、
各店舗でそれぞれ販売される商品の本日以降の価格情報を店舗別に記憶する店舗別価格情報記憶手段と、
前記ユーザ端末から購入予定地域及び購入予定商品を含む問合せ要求コマンドを受信すると、前記店舗／地域情報記憶手段により記憶されているデータに基づいて前記問合せ要求コマンドに含まれる購入予定地域に所在する店舗を検索する所在店舗検索手段と、
この所在店舗検索手段により前記購入予定地域に所在する店舗が検索されると、前記商品／店舗情報記憶手段により記憶されているデータに基づいて前記購入予定地域に所在する店舗の中で前記問合せ要求コマンドに含まれる購入予定商品を販売している店舗を検索する販売店舗検索手段と、
この販売店舗検索手段により前記購入予定商品を販売している店舗が検索されると、前記店舗別価格情報記憶手段により記憶されているデータに基づいて前記購入予定商品を販売している各店舗それぞれの当該購入予定商品の本日以降の日別価格情報を取得する店舗別日別価格情報取得手段と、
この店舗別日別価格情報取得手段により取得した前記各店舗それぞれの当該購入予定商品の本日以降の日別価格情報を前記問合せ要求送信元のユーザ端末に返信する価格情報返信手段と、
を具備したことを特徴とする購買支援サーバ。
【請求項３】
各店舗における商品の値引または割引に関する販促情報を記憶する販促情報記憶手段と、
この販促情報記憶手段により記憶される販促情報に基づいて前記店舗別価格情報記憶手段により店舗別に記憶されている各商品の本日以降の価格情報を更新する価格情報更新手段と、
をさらに具備したことを特徴とする請求項１または２記載の購買支援サーバ。
【請求項４】
請求項１に記載の購買支援サーバとネットワークを介して送受信可能に接続されるユーザ端末において、
購入予定商品を選択する商品選択手段と、
この商品選択手段により選択された購入予定商品の情報を含む問合せ要求コマンドを前記購買支援サーバに送信するコマンド送信手段と、
このコマンド送信手段により送信された問合せ要求コマンドに対して前記購買支援サーバから返信される店舗毎の日別価格情報を受信すると、その店舗毎の日別価格情報を可視化出力する可視化出力手段と、
を具備したことを特徴とするユーザ端末。
【請求項５】
請求項２に記載の購買支援サーバとネットワークを介して送受信可能に接続されるユーザ端末において、
購入予定地域を設定する地域設定手段と、
購入予定商品を選択する商品選択手段と、
前記地域設定手段により設定された購入予定地域の情報及び前記商品選択手段により選択された購入予定商品の情報を含む問合せ要求コマンドを前記ネットワークを介して前記購買支援サーバに送信するコマンド送信手段と、
このコマンド送信手段により送信された問合せ要求コマンドに対して前記購買支援サーバから返信される店舗毎の日別価格情報を受信すると、その店舗毎の日別価格情報を可視化出力する可視化出力手段と、
を具備したことを特徴とするユーザ端末。
【請求項６】
前記可視化出力手段により日別価格情報が可視化出力される店舗の中から購入店舗及び購入日を決定する購買情報決定手段と、
この購買情報決定手段により決定された購入店舗及び購入日に関する情報を購買予定テーブルに登録する購買情報登録手段と、
前記購買予定テーブルに登録された情報に基づいて購入日別の購買リストを作成する購買リスト作成手段と、
をさらに具備したことを特徴とする請求項４または５記載のユーザ端末。
【請求項７】
請求項１に記載の購買支援サーバとネットワークを介して送受信可能に接続されるコンピュータを、
購入予定商品を選択する商品選択手段、
この商品選択手段により選択された購入予定商品の情報を含む問合せ要求コマンドを前記購買支援サーバに送信するコマンド送信手段、
このコマンド送信手段により送信された問合せ要及び、求コマンドに対して前記購買支援サーバから返信される店舗毎の日別価格情報を受信すると、その受信した店舗毎の日別価格情報を可視化出力する可視化出力手段、
として機能させるための購買支援プログラム。
【請求項８】
請求項２に記載の購買支援サーバとネットワークを介して送受信可能に接続されるコンピュータを、
購入予定地域を設定する地域設定手段、
購入予定商品を選択する商品選択手段、
前記地域設定手段により設定された購入予定地域の情報及び前記商品選択手段により選択された購入予定商品の情報を含む問合せ要求コマンドを前記購買支援サーバに送信するコマンド送信手段、及び、
このコマンド送信手段により送信された問合せ要求コマンドに対して前記購買支援サーバから返信される店舗毎の日別価格情報を受信すると、その店舗毎の日別価格情報を可視化出力する可視化出力手段、
として機能させるための購買支援プログラム。
【請求項９】
前記コンピュータを、さらに、
前記可視化出力手段により日別価格情報が可視化出力された店舗の中から購入店舗及び購入日を決定する購買情報決定手段、
この購買情報決定手段により決定された購入店舗及び購入日に関する情報を購買予定テーブルに登録する購買情報登録手段、及び、
前記購買予定テーブルに登録された情報に基づいて購入日別の購買リストを作成する購買リスト作成手段、
として機能させるための請求項７または８記載の購買支援プログラム。
【発明の詳細な説明】
【技術分野】
【０００１】
本発明は、インターネット等の通信回線を介して接続されたユーザ端末に対してユーザの買物を支援するための情報を提供する購買支援サーバ、及び当該サーバと通信回線を介して接続可能なユーザ端末、並びにコンピュータを当該ユーザ端末として機能させるための購買支援プログラムに関する。
【背景技術】
【０００２】
従来、ユーザが購入したい特定の商品を、今、どこの店が在庫として保有しているかという情報を、その保有店舗での売価情報とともにユーザ端末を介して提供することができる商品在庫状況確認システムがあった（例えば、特許文献１参照）。
【０００３】
また、ユーザが指定した地域に属する店舗の商品情報，特にユーザが購入したい特定の商品の情報を価格等の情報に基づいて比較整理し、その結果を販売店情報とともにユーザ端末を介して提供することができる商品情報提供システムもあった。
【特許文献１】特開２００２−１８９９２９号公報
【特許文献２】特開２００３−０８５４２２号公報
【発明の開示】
【発明が解決しようとする課題】
【０００４】
しかしながら、従来のシステムにおいては、ユーザが購入したい特定の商品を販売している店舗とその店舗における当日の価格とを知ることはできるが、その特定の商品が翌日以降に特売されるかどうかはわからなかった。購入したい商品の中には、購入日が翌日以降であってもよい商品がある。このため、翌日以降の価格も考慮してユーザの買物を支援できるシステムの開発が望まれていた。
【０００５】
本発明はこのような事情に基づいてなされたもので、翌日以降の価格を考慮してユーザの買物を支援することができる購買支援システムを構築できる購買支援サーバ及びユーザ端末並びにコンピュータを当該ユーザ端末として機能させるための購買支援プログラムを提供しようとするものである。
【課題を解決するための手段】
【０００６】
本発明に係る購買支援サーバは、１または２以上のユーザ端末とネットワークを介して送受信可能に接続され、ユーザ端末に対してユーザの買物を支援するための情報を提供するものであって、
各商品とその商品を販売している店舗とを関連付ける情報を記憶する商品／店舗情報記憶手段と、各店舗でそれぞれ販売される商品の本日以降の価格情報を店舗別に記憶する店舗別価格情報記憶手段と、ユーザ端末から購入予定商品を含む問合せ要求コマンドを受信すると、商品／店舗情報記憶手段により記憶されているデータに基づいて当該購入予定商品を販売している店舗を検索する販売店舗検索手段と、この販売店舗検索手段により購入予定商品を販売している店舗が検索されると、店舗別価格情報記憶手段により記憶されているデータに基づいて購入予定商品を販売している各店舗それぞれの当該購入予定商品の本日以降の日別価格情報を取得する店舗別日別価格情報取得手段と、この店舗別日別価格情報取得手段により取得した各店舗それぞれの当該購入予定商品の本日以降の日別価格情報を問合せ要求送信元のユーザ端末に送信する価格情報返信手段とを備えたものである。
【０００７】
本発明に係るユーザ端末は、上記購買支援サーバとネットワークを介して送受信可能に接続されるものであって、購入予定商品を選択する商品選択手段と、この商品選択手段により選択された購入予定商品の情報を含む問合せ要求コマンドを購買支援サーバに送信するコマンド送信手段と、このコマンド送信手段により送信された問合せ要求コマンドに対して購買支援サーバから返信される店舗毎の日別価格情報を受信すると、その店舗毎の日別価格情報を可視化出力する可視化出力手段とを備えたものである。
【０００８】
本発明に係る購買支援プログラムは、上記購買支援サーバとネットワークを介して送受信可能に接続されるコンピュータを、購入予定商品を選択する商品選択手段、この商品選択手段により選択された購入予定商品の情報を含む問合せ要求コマンドを購買支援サーバに送信するコマンド送信手段、このコマンド送信手段により送信された問合せ要求コマンドに対して購買支援サーバから返信される店舗毎の日別価格情報を受信すると、その店舗毎の日別価格情報を可視化出力する可視化出力手段として機能させるためのものである。
【発明の効果】
【０００９】
かかる手段を講じた本発明によれば、翌日以降の価格を考慮してユーザの買物を支援することができる購買支援システムを構築できる購買支援サーバ及びユーザ端末並びにコンピュータを当該ユーザ端末として機能させるための購買支援プログラムを提供することができる。
【発明を実施するための最良の形態】
【００１０】
以下、本発明を実施するための最良の形態について、図面を参照しながら説明する。
【００１１】
図１は本発明の一実施の形態に係る購買支援システムの全体構成図である。同図において、購買支援サーバ１は、購買支援サービスを実施するデータセンタに設置されたコンピュータシステムである。複数の店舗端末２は、購買支援サービスに参加する各店舗側にそれぞれ設けられたパソコン，ＰＯＳ（Point Of Sales）端末等の情報処理端末である。複数のユーザ端末３は、購買支援サービスを利用する各ユーザがそれぞれ使用する携帯電話，ＰＤＡ（Personal Digital Assistant），パソコン等の情報処理端末である。
【００１２】
購買支援サーバ１と各店舗端末２とは、ＩＳＤＮ（Integrated Services Digital Network），ＡＤＳＬ（Asymmetric Digital Subscriber Line）等のネットワーク４を介して送受信可能に接続されている。購買支援サーバ１と各ユーザ端末３とは、インターネット等のネットワーク５を介して送受信可能に接続されている。なお、購買支援サーバ１と各店舗端末２及び各ユーザ端末３とが、同一のネットワークを介して接続されていてもよい。
【００１３】
購買支援サーバ１は、地域データベース１１、店舗データベース１２、分類データベース１３、品目データベース１４、単品データベース１５、店舗別価格データベース１６、販促企画データベース１７等を管理するデータベース・サーバとしての機能を有する。
【００１４】
地域データベース１１には、共通の購買支援サービスを実施する地域圏（地区）毎に作成された地域データレコードが保存されている。地域データレコードには、図２に示すように、その地域圏を識別する地域コードと、その地域圏を特定する地域名とが含まれている。
【００１５】
店舗データベース１２には、購買支援サービスに参加する店舗毎に作成された店舗データレコードが保存されている。店舗データレコードには、図３に示すように、その店舗を識別する店舗コードと、その店舗を特定する店舗名と、その店舗が所属する地域圏の地域コードすなわち属性地域コードとが含まれている。
【００１６】
分類データベース１３には、果物，野菜，飲料，精肉，鮮魚等の商品分類毎に作成された分類データレコードが保存されている。分類データレコードには、図４に示すように、その商品分類を識別する分類コードと、その商品分類を特定する分類名とが含まれている。
【００１７】
品目データベース１４には、バナナ，キャベツ，ビール，牛ロース，さば等の商品品目毎に作成された品目データレコードが保存されている。品目データレコードには、図５に示すように、その商品品目を識別する品目コードと、その商品品目を特定する品目名と、その商品品目が所属する商品分類の分類コードすなわち属性分類コードとが含まれている。
【００１８】
単品データベース１５には、商品単品毎に作成された単品データレコードが保存されている。単品データレコードには、図６に示すように、その商品単品を識別する単品コードと、その商品単品を特定する単品名と、その商品単品が所属する商品品目の品目コードすなわち属性品目コードと、その商品単品の販売を取扱っている１または２以上の店舗の店舗コードすなわち販売店舗コードとが含まれている。
【００１９】
店舗別価格データベース１６は、店舗別にかつその店舗で販売される商品単品毎に作成された価格データレコードが保存されている。価格データレコードには、図７に示すように、店舗を識別する店舗コード及び商品単品を識別する単品コードと、その商品単品を特定する単品名と、その商品単品の当該店舗における定価と、その商品単品が当該店舗で実施される販促企画の対象商品か否かを識別する企画フラグ（本実施の形態では対象商品のとき“１”、対象外商品のとき“０”とする）と、その商品単品の当該店舗での本日からＮ（Ｎ＞１）日後までの日々の価格とが含まれている。
【００２０】
販促企画データベース１７は、各店舗から提供される販促企画に関する販促データレコードが保存されている。販促データレコードには、図８に示すように、販促企画提供元を識別する店舗コードと、販促企画の種類を識別する企画コードと、販促企画の対象品目または対象単品や対象期間や値引額または割引率等の企画詳細情報とが含まれている。
【００２１】
しかして、購買支援サーバ１は、購買支援サービスに新規参入する店舗の店舗名，所在地，店舗端末２の接続情報等の店舗データが入力されると、その所在地から地域データベース１１を参照して地域圏を特定する。そして、この地域圏を識別する属性識別コードを含む新規の店舗データレコードを作成して、店舗データベース１２に追加するものとなっている。
【００２２】
また、購買支援サーバ１は、各店舗端末２からその店舗で販売される単品の単品コード，定価等を含む最新の単品リストデータを適時収集する。そして、この単品リストデータを基に単品データベース１５及び店舗別価格データベース１６を更新するものとなっている。
【００２３】
また、購買支援サーバ１は、各店舗端末２からその店舗で実施される販促企画の詳細情報を受信する毎に販促企画レコードを作成し、販促企画データベース１７に追加する。そして、この販促企画データベース１７に保存された販促企画レコードに基づいて、店舗別価格データベース１６に保存されている価格データレコードの日別価格データを更新するものとなっている。
【００２４】
この日別価格データ更新手順の概要を図９の流れ図にて示す。すなわち購買支援サーバ１は、ＳＴ（ステップ）２０１としてサーバ内蔵の時計部を監視し、日付が更新されると、ＳＴ２０２として店舗別価格データベース１６をオープンする。そして、この店舗別価格データベース１６に保存されている各価格データレコードについて、順次ＳＴ２０３〜ＳＴ２０９の処理を実行する。
【００２５】
先ず、店舗別価格データベース１６から未処理の価格データレコードを１レコード取得する（ＳＴ２０３）。次に、この価格データレコードの店舗コードと単品コードとを基に販促企画データベース１７を検索して、該当する単品が該当する店舗の販促企画対象商品か否かを判断する（ＳＴ２０４）。販促企画対象商品でない場合には、当該価格データレコードの企画フラグＦを“０”にリセットする（ＳＴ２０８）。
【００２６】
販促企画対象商品である場合には、当日からＮ日後までの間に販促期間が含まれるか否かを判断する（ＳＴ２０５）。販促期間が含まれない場合には、当該価格データレコードの企画フラグＦを“０”にリセットする（ＳＴ２０８）。
【００２７】
当日からＮ日後までの間に販促期間が含まれる場合には、その単品の定価とその販促期間における販促情報（値引額，割引率等）とからその販促期間内の価格を算出する（ＳＴ２０６）。また、当該価格データレコードの企画フラグＦを“１”にセットする（ＳＴ２０７）。
【００２８】
しかる後、当該価格データレコードの本日価格からＮ日後価格までの価格を更新する。すなわち、当日からＮ日後までの間に販促期間が含まれる場合には、その販促期間内の価格をＳＴ２０６の処理で算出した価格とし、販促期間外の価格を定価とする。当日からＮ日後までの間に販促期間が含まれない場合には、本日価格からＮ日後価格までの価格を全て定価とする（ＳＴ２０９）。
【００２９】
購買支援サーバ１は、ＳＴ２１０として店舗別価格データベース１６に未処理の価格データレコードが存在するか否かを判断する。存在する場合には、その未処理の価格データレコードを取得し（ＳＴ２０３）、ＳＴ２０４〜ＳＴ２０９の各処理を実行する（価格情報更新手段）。
【００３０】
店舗別価格データベース１６に未処理の価格データレコードが存在しなくなると、購買支援サーバ１は、ＳＴ２１１として店舗別価格データベース１６をクローズする。かくして、店舗別価格データベース１６に保存されている価格データレコードの日別価格データが最新の状態に更新される。
【００３１】
ここに、店舗データベース１２は、各店舗とその店舗の所在地域とを関連付ける情報を記憶する店舗／地域情報記憶手段として機能する。単品データベース１５は、各商品とその商品を販売している店舗とを関連付ける情報を記憶する商品／店舗情報記憶手段として機能する。店舗別価格データベース１６は、各店舗でそれぞれ販売される商品の本日以降の価格情報を店舗別に記憶する店舗別価格情報記憶手段として機能する。販促企画データベース１７は、各店舗における商品の値引または割引に関する販促情報を記憶する販促情報記憶手段として機能する。
【００３２】
図１０はユーザ端末３の要部構成を示すブロック図である。ユーザ端末３は、コンピュータを主体に構成されている。すなわちユーザ端末３には、その中枢部として各種のデータ処理を行うためのＭＰＵ（Micro Processing Unit）３１と、データや命令等を記憶するためのＲＯＭ（Read Only Memory）３２及びＲＡＭ（Random Access Memory）３３と、ＯＳ，アプリケーションプログラム等のプログラムファイルや種々のデータファイルを保存するためのＨＤＤ（Hard Disk Drive）装置３４と、現在の日付及び時刻を計時するＩＣチップからなる時計部３５と、ネットワーク５を介して購買支援サーバ１との間で行われるデータ通信を制御する通信コントローラ３６とが搭載されている。そして、ＭＰＵ３１と、ＲＯＭ３２，ＲＡＭ３３，ＨＤＤ装置３４，時計部３５及び通信コントローラ３６とは、アドレスバス，データバス等のバスライン３７によって電気的に接続されている。
【００３３】
またユーザ端末３には、キーボード，ポインティングデバイス等の入力デバイス３８と、液晶ディスプレイ等の表示デバイス３９とが少なくとも備えられている。そして、入力デバイス３８と表示デバイス３９とは、それぞれ前記バスライン３７を介してＭＰＵ３１等と接続されている。
【００３４】
かかる構成のユーザ端末３は、アプリケーションプログラムの１つとして、購買支援プログラム４０がＨＤＤ装置３４にインストールされている。購買支援プログラム４０は、購買支援サーバ１からネットワーク５を介してユーザ端末３にダウンロード可能である。因みに、記録媒体に記憶させた購買支援プログラム４０をユーザ端末３にインストールしてもよい。記録媒体としては、ＣＤ−ＲＯＭ等の如きプログラムを記憶でき、かつコンピュータが読み取り可能な記録媒体であれば、その形態は何れの形態であっても良い。勿論、購買支援プログラム４０がＲＯＭ３２に予め記憶されていてもよい。
【００３５】
またユーザ端末３は、上記購買支援プログラム４０を実行する上で必要なデータテーブルとして、図１１に示すように、地域コード及びそれに関連する地域名のデータを記憶する設定地域テーブル４１と、購入日，単品コード，単品名，価格，店舗コード及び店舗名の各データ項目からなる購買予定データを蓄積する購買予定テーブル４２とが作成され、ＨＤＤ装置３４に保存されている。
【００３６】
なお、上記購買支援プログラム４０と設定地域テーブル４１及び購買予定テーブル４２の保存先はＨＤＤ装置３４に限定されるものではなく、ＨＤＤ装置３４の代わりにメモリカード等の不揮発性記憶装置が実装されたユーザ端末の場合は該不揮発性記憶装置に保存すればよい。
【００３７】
しかして、ユーザ端末３のユーザが入力デバイス３８を操作して上記購買支援プログラム４０を起動すると、ＭＰＵ３１は、図１２の流れ図に示す手順で動作する。先ず、時計部３５にて計時されている現在の日付（本日日付）を取得する（ＳＴ１）。そして、この本日日付のデータを検索キーとして購買予定テーブル４２を検索して、購入日が本日日付から所定期間内（例えば７日間）の購買予定データが格納されているか否かを調べる（ＳＴ２）。その結果、購入日が本日日付の購買予定データが格納されていた場合には（ＳＴ３のＹＥＳ）、ＭＰＵ３１は、その購入日が本日日付から所定期間内の購買予定データを全て購買予定テーブル４２から読出し、購入日順に単品名，価格，店舗名を示した購買リストを作成する（ＳＴ４：購買リスト作成手段）。そして、この購買リストを含む購買リスト画面５０を表示デバイス３９に表示させる（ＳＴ５）。
【００３８】
購買リスト画面５０の一例を図２１に示す。購買リスト画面５０には、購入日順に単品名，価格，店舗名がスクロール表示されている。また、本日が購入日のデータに対しては、その旨のマーク５１が表示されている。さらに、地域設定ボタン５２，購買ボタン５３及び終了ボタン５４が画面上に表示されている。なお、購入日が本日日付の購買予定データが購買予定テーブル４２に格納されていない場合には（ＳＴ３のＮＯ）、購買リストのスクロール表示がない購買リスト画面５０が表示される。
【００３９】
購買リスト画面５０を表示後、ＭＰＵ３１は同画面上のいずれかのボタンが操作入力されるのを待機する（ＳＴ６〜ＳＴ８）。ここで、入力デバイス３８の操作により地域設定ボタン５２が入力されたことを検知した場合には（ＳＴ６のＹＥＳ）、ＭＰＵ３１は、図１３の流れ図にて具体的に示す地域設定処理を実行する。先ず、設定地域テーブル４１から地域名データを読み出す。そして、その地域名を示した地域設定画面６０を表示デバイス３９に表示させる（ＳＴ１０）。
【００４０】
地域設定画面６０の一例を図２２に示す。地域設定画面６０には、現時点で設定地域テーブル４１に設定されている地域名が表示されている。また、登録ボタン６１及び戻るボタン６２が画面上に表示されている。なお、設定地域テーブル４１に地域コード及び地域名の各データが未設定の場合には、地域名の表示がない地域設定画面６０が表示される。
【００４１】
地域設定画面６０を表示後、ＭＰＵ３１は同画面上のいずれかのボタンが操作入力されるのを待機する（ＳＴ１１〜ＳＴ１２）。ここで、入力デバイス３８の操作により登録ボタン６１が入力されたことを検知した場合には（ＳＴ１１のＹＥＳ）、ＭＰＵ３１は、通信コントローラ３６に購買支援サーバ１との回線接続を指令する（ＳＴ１３）。そして、通信コントローラ３６の制御により購買支援サーバ１との回線が接続されたことを確認すると（ＳＴ１４のＹＥＳ）、ＭＰＵ３１は、地域リストの作成処理を行う（ＳＴ１５）。
【００４２】
すなわちＭＰＵ３１は、購買支援サーバ１に地域設定コマンドを送信する。すると、このコマンドを受信した購買支援サーバ１は、図１６に示すように、地域データベース１１から各地域コードにそれぞれ対応して設定されている地域名データを全て取得する（ＳＴ６１）。そして、この各地域コード及びそれに対応した地域名データをコマンド送信元のユーザ端末３に送信するものとなっている（ＳＴ６２）。
【００４３】
そこでＭＰＵ３１は、受信した各地域コード及びそれに対応する地域名データをＲＡＭ３３に記憶した後、各地域名を順番に示した地域リストを作成する。そして、この地域リストを含む地域リスト画面７０を表示デバイス３９に表示させる（ＳＴ１６）。
【００４４】
地域リスト画面７０の一例を図２３に示す。地域リスト画面７０には、地域データベース１１に設定されている各地域名がスクロール表示されている。また、決定ボタン７１及び戻るボタン７２が画面上に表示されている。
【００４５】
地域リスト画面７０を表示後、ＭＰＵ３１は同画面上のいずれかのボタンが操作入力されるのを待機する（ＳＴ１７〜ＳＴ１８）。ここで、入力デバイス３８の操作により戻るボタン７２が入力されたことを検知した場合には（ＳＴ１８のＹＥＳ）、ＭＰＵ３１は、通信コントローラ３６に購買支援サーバ１との回線切断を指令する（ＳＴ２０）。しかる後、表示デバイス３９の画面を地域設定画面６０に戻す（ＳＴ１０）。
【００４６】
一方、入力デバイス３８の操作により地域名リストの中のいずれか１つの地域名が選択操作されるとともに、決定ボタン７１が入力されたことを検知した場合には（ＳＴ１７のＹＥＳ）、ＭＰＵ３１は、その選択された地域名とそれに対応する地域コードの各データを設定地域テーブル４１に上書きして保存する（ＳＴ１９：地域設定手段）。しかる後、通信コントローラ３６に購買支援サーバ１との回線切断を指令する（ＳＴ２０）。また、表示デバイス３９の画面を地域設定画面６０に戻す（ＳＴ１０）。
【００４７】
地域設定画面６０を表示後、入力デバイス３８の操作により戻るボタン６２が入力されたことを検知した場合には（ＳＴ１２のＹＥＳ）、ＭＰＵ３１は、表示デバイス３９の画面を購買リスト画面５０に戻す（ＳＴ５）。
【００４８】
購買リスト画面５０を表示後、入力デバイス３８の操作により購買ボタン５３が入力されたことを検知した場合には（ＳＴ７のＹＥＳ）、ＭＰＵ３１は、図１４，図１５の流れ図にて具体的に示す購買処理を実行する。先ず、通信コントローラ３６に購買支援サーバ１との回線接続を指令する（ＳＴ２１）。そして、通信コントローラ３６の制御により購買支援サーバ１との回線が接続されたことを確認すると（ＳＴ２２のＹＥＳ）、ＭＰＵ３１は、分類リストの作成処理を行う（ＳＴ２３）。
【００４９】
すなわちＭＰＵ３１は、購買支援サーバ１に購買支援コマンドを送信する。すると、このコマンドを受信した購買支援サーバ１は、図１７に示すように、分類データベース１３から各分類コードにそれぞれ対応して設定されている分類名データを全て取得する（ＳＴ７１）。そして、この各分類コード及びそれに対応した分類名データをコマンド送信元のユーザ端末３に送信するものとなっている（ＳＴ７２）。
【００５０】
そこでＭＰＵ３１は、受信した各分類コード及びそれに対応する分類名データをＲＡＭ３３に記憶した後、各分類名を順番に示した分類リストを作成する。そして、この分類リストを含む分類リスト画面８０を表示デバイス３９に表示させる（ＳＴ２４）。
【００５１】
分類リスト画面８０の一例を図２４に示す。分類リスト画面８０には、分類データベース１３に設定されている各分類名がスクロール表示されている。また、選択ボタン８１及び戻るボタン８２が画面上に表示されている。
【００５２】
分類リスト画面８０を表示後、ＭＰＵ３１は同画面上のいずれかのボタンが操作入力されるのを待機する（ＳＴ２５〜ＳＴ２６）。ここで、入力デバイス３８の操作により戻るボタン８２が入力されたことを検知した場合には（ＳＴ２６のＹＥＳ）、ＭＰＵ３１は、通信コントローラ３６に購買支援サーバ１との回線切断を指令する（ＳＴ２７）。しかる後、表示デバイス３９の画面を購買リスト画面５０に戻す（ＳＴ５）。
【００５３】
一方、入力デバイス３８の操作により分類リストの中のいずれか１つの分類名が選択操作されるとともに、選択ボタン８１が入力されたことを検知した場合には（ＳＴ２５のＹＥＳ）、ＭＰＵ３１は、選択分類の品目リスト作成処理を行う（ＳＴ２８）。
【００５４】
すなわちＭＰＵ３１は、選択分類名に対応した分類コードを含む分類選択コマンドを作成して購買支援サーバ１に送信する。すると、このコマンドを受信した購買支援サーバ１は、図１８に示すように、品目データベース１４から当該コマンド中の分類コードを属性分類コードと設定してなる品目コード及び品目名データを全て取得する（ＳＴ８１）。そして、この各品目コード及びそれに対応した品目名データをコマンド送信元のユーザ端末３に送信するものとなっている（ＳＴ８２）。
【００５５】
そこでＭＰＵ３１は、受信した各品目コード及びそれに対応する品目名データをＲＡＭ３３に記憶した後、各品目名を順番に示した品目リストを作成する。そして、この品目リストを含む品目リスト画面９０を表示デバイス３９に表示させる（ＳＴ２９）。
【００５６】
品目リスト画面９０の一例を図２５に示す。品目リスト画面９０には、品目データベース１４から抽出された選択分類コードに属する各品目名がスクロール表示されている。また、選択ボタン９１及び戻るボタン９２が画面上に表示されている。
【００５７】
品目リスト画面９０を表示後、ＭＰＵ３１は同画面上のいずれかのボタンが操作入力されるのを待機する（ＳＴ３０〜ＳＴ３１）。ここで、入力デバイス３８の操作により戻るボタン９２が入力されたことを検知した場合には（ＳＴ３１のＹＥＳ）、ＭＰＵ３１は、表示デバイス３９の画面を一画面前の分類リスト画面８０に戻す（ＳＴ２４）。
【００５８】
一方、入力デバイス３８の操作により品目リストの中のいずれか１つの品目名が選択操作されるとともに、選択ボタン９１が入力されたことを検知した場合には（ＳＴ３０のＹＥＳ）、ＭＰＵ３１は、選択品目名に対応した品目コードと設定地域テーブル４１に設定されている地域コードとを含む品目選択コマンドを作成して購買支援サーバ１に送信する（ＳＴ３２）。
【００５９】
すると、このコマンドを受信した購買支援サーバ１は、図１９に示すように、先ず、受信コマンド中の地域コードで店舗データベース１２を検索する。そして、当該地域コードが属性地域コードとして設定されている店舗データレコードを全て抽出する。そして、この抽出した各店舗データレコードからそれぞれ店舗コード及び店舗名を属性店舗情報として取得する（ＳＴ９１）。
【００６０】
次に、受信コマンド中の品目コードと上記属性店舗情報として得た全ての店舗コードとで単品データベース１５を検索する。そして、当該品目コードが品目属性コードとして設定されている全ての単品データレコードを抽出する。さらに、その抽出した各単品データレコードの中から上記記属性店舗情報として得た全ての店舗コードのうち少なくとも１つの店舗コードが販売店舗コードとして設定されている単品データレコードを全て抽出する。そして、この抽出した各単品データレコードから単品コード及び単品名を販売単品情報として取得する（ＳＴ９２）。
【００６１】
次に、上記販売単品情報毎に、その販売単品情報の単品コードで店舗別価格データベース１６を検索する。そして、その単品コードが設定された価格データレコードのうち上記属性店舗情報として得たいずれかの店舗コードが設定されている価格データレコードを全て抽出する。そして、この抽出した全ての価格データレコードの中に１レコードでも企画フラグＦが“１”にセットされているレコードが存在するか否かをチェックする（ＳＴ９３）。
【００６２】
その結果、企画フラグＦが“１”にセットされているレコードが１つでも存在する場合には（ＳＴ９４のＹＥＳ）、その販売単品情報にセット状態の企画フラグを付したデータをコマンド送信元のユーザ端末３に送信する（ＳＴ９５）。これに対し、企画フラグＦが“１”にセットされているレコードが１つも存在しない場合には（ＳＴ９４のＮＯ）、その販売単品情報にリセット状態の企画フラグを付したデータをコマンド送信元のユーザ端末３に送信する（ＳＴ９６）。
【００６３】
そこでＭＰＵ３１は、受信した各販売単品情報をＲＡＭ３３に記憶した後、各単品販売情報中の単品名を順番に示した単品リストを作成する。このとき、企画フラグがセット状態にある販売単品情報については、単品名に販促企画がある旨を示すマークを付す（ＳＴ３４）。そして、この単品リストを含む単品リスト画面１００を表示デバイス３９に表示させる（ＳＴ３５）。
【００６４】
単品リスト画面１００の一例を図２６に示す。単品リスト画面１００には、販売単品情報として得られた単品名がスクロール表示されている。また、セット状態の企画フラグが付された販売単品情報中の単品名には、販促企画がある旨を示すマーク１０１が付されている。さらに、選択ボタン１０２及び戻るボタン１０３が画面上に表示されている。
【００６５】
単品リスト画面１００を表示後、ＭＰＵ３１は同画面上のいずれかのボタンが操作入力されるのを待機する（ＳＴ３６〜ＳＴ３７）。ここで、入力デバイス３８の操作により戻るボタン１０３が入力されたことを検知した場合には（ＳＴ３７のＹＥＳ）、ＭＰＵ３１は、表示デバイス３９の画面を一画面前の品目リスト画面９０に戻す（ＳＴ２９）。
【００６６】
一方、入力デバイス３８の操作により単品リストの中のいずれか１つの単品名が選択操作されるとともに、選択ボタン１０２が入力されたことを検知した場合には（ＳＴ３６のＹＥＳ：商品選択手段）、ＭＰＵ３１は、選択単品の販売店舗リスト作成処理を行う（ＳＴ３８）。
【００６７】
すなわちＭＰＵ３１は、選択単品名に対応した単品コードと設定地域テーブル４１に設定されている地域コードとを含む単品選択コマンドを作成して購買支援サーバ１に送信する（コマンド送信手段）。
【００６８】
すると、このコマンドを受信した購買支援サーバ１は、図２０に示すように、受信コマンド中の地域コードで店舗データベース１２を検索する。そして、当該地域コードが属性地域コードとして設定されている店舗データレコードを全て抽出する。そして、この抽出した各店舗データレコードからそれぞれ店舗コード及び店舗名を属性店舗情報として取得する（ＳＴ１０１：所在店舗検索手段）。
【００６９】
次に、単品データベース１５から受信コマンド中の単品コードが設定された単品データレコードを取得する。そして、この単品データレコードにセットされている全ての販売店舗コードのうち、ＳＴ１０１の処理で属性店舗情報として取得した店舗コードと一致する販売店舗コードを全て抽出する。そして、この抽出した販売店舗コードと当該店舗コードに対応する店舗名とを販売店舗情報として取得する（ＳＴ１０２：販売店舗検索手段）。
【００７０】
次に、受信コマンド中の単品コードで店舗別価格データベース１６を検索する。そして、その単品コードが設定された価格データレコードのうちＳＴ１０２の処理で取得した販売店舗コードがセットされた価格データレコードを全て抽出する。そして、この抽出した価格データレコードの店舗コード，企画フラグ及び本日からＮ日後までの価格を日別価格情報として取得する（ＳＴ１０３：店舗別日別価格情報取得手段）。そして、この取得した全ての日別価格情報と販売店舗情報とをコマンド送信元のユーザ端末３に送信する（ＳＴ１０４：価格情報返信手段）。
【００７１】
そこでＭＰＵ３１は、受信した店舗コード，店舗名，企画フラグ，日別価格情報の各データをＲＡＭ３３に記憶した後、店舗名を順番に示した販売店舗リストを作成する。このとき、企画フラグがセット状態にある店舗名については、販促企画がある旨を示すマークを付す。そして、この販売店舗リストを含む販売店舗リスト画面１１０を表示デバイス３９に表示させる（ＳＴ３９）。
【００７２】
販売店舗リスト画面１１０の一例を図２７に示す。販売店舗リスト画面１１０には、販売店舗情報として得られた店舗名がスクロール表示されている。また、セット状態の企画フラグが付された販売店舗情報中の店舗名には、販促企画がある旨を示すマーク１１１が付されている。さらに、詳細ボタン１１２，選択ボタン１１３及び戻るボタン１１４が画面上に表示されている。
【００７３】
販売店舗リスト画面１１０を表示後、ＭＰＵ３１は同画面上のいずれかのボタンが操作入力されるのを待機する（ＳＴ４０〜ＳＴ４２）。ここで、入力デバイス３８の操作により戻るボタン１１４が入力されたことを検知した場合には（ＳＴ４０のＹＥＳ）、ＭＰＵ３１は、表示デバイス３９の画面を一画面前の単品リスト画面１００に戻す（ＳＴ３５）。
【００７４】
また、入力デバイス３８の操作により詳細ボタン１１２が入力されたことを検知した場合には（ＳＴ４１のＹＥＳ）、ＭＰＵ３１は、ＲＡＭ３３に記憶した各店舗の日別価格情報により店舗別の価格変動グラフを作成する（ＳＴ４２）。そして、この価格変動グラフを示す価格変動画面１２０を表示デバイス３９に表示させる（ＳＴ４３：可視化出力手段）。
【００７５】
価格変動画面１２０の一例を図２８に示す。価格変動画面１２０には、店舗別の価格変動グラフが表示されている。また、確認ボタン１２１が画面上に表示されている。
【００７６】
価格変動画面１２０を表示後、ＭＰＵ３１は同画面上の確認ボタン１２１が操作入力されるのを待機する（ＳＴ４４）。そして、入力デバイス３８の操作により確認ボタン１２１が入力されたことを検知した場合には（ＳＴ４４のＹＥＳ）、ＭＰＵ３１は、表示デバイス３９の画面を一画面前の販売店舗リスト画面１１０に戻す。
【００７７】
一方、入力デバイス３８の操作により販売店舗リストの中のいずれか１つの店舗名が選択操作されるとともに、選択ボタン１１３が入力されたことを検知した場合には（ＳＴ４５のＹＥＳ）、ＭＰＵ３１は、選択店舗における該当単品の日別価格リスト作成処理を行う（ＳＴ４６）。すなわち、本日からＭ日後までの各日付と、その日における当該店舗での販売価格とのリストを作成する。そして、この日別価格リストを示す日別価格リスト画面１３０を表示デバイス３９に表示させる（ＳＴ４７）。
【００７８】
日別価格リスト画面１３０の一例を図２９に示す。日別価格リスト画面１３０には、日別価格リストが表示されている。また、決定ボタン１３１と戻るボタン１３２とが画面上に表示されている。
【００７９】
日別価格リスト画面１３０を表示後、ＭＰＵ３１は同画面上のいずれかのボタンが操作入力されるのを待機する（ＳＴ４８〜ＳＴ４９）。ここで、入力デバイス３８の操作により戻るボタン１３２が入力されたことを検知した場合には（ＳＴ４９のＹＥＳ）、ＭＰＵ３１は、表示デバイス３９の画面を一画面前の販売店舗リスト画面１１０に戻す（ＳＴ３９）。
【００８０】
一方、入力デバイス３８の操作により日別価格リストの中のいずれか１つの日付（購入日）が選択操作されるとともに、決定ボタン１３１が入力されたことを検知した場合には（ＳＴ４８のＹＥＳ：購買情報決定手段）、ＭＰＵ３１は、購買予定テーブル４２に該当する購入日，単品コード，単品名，価格，店舗コード及び店舗名の各データを登録する（ＳＴ５０：購買情報登録手段）。しかる後、この新たに登録された購買予定データを用いて購買リストを作成し直す（ＳＴ５１）。そして、表示デバイス３９に新たな購買リスト画面５０を表示させる（ＳＴ５）。このときの購買リスト画面５０の一例を図３０に示す。
【００８１】
購買リスト画面５０を表示後、入力デバイス３８の操作により終了ボタン５４が入力されたことを検知した場合には（ＳＴ８のＹＥＳ）、ＭＰＵ３１は、表示デバイス３９から購買リスト画面５０を消去させる（ＳＴ９）。以上で、購買支援プログラム４０が終了する。
【００８２】
このように構成された本実施の形態においては、買物客であるユーザは、先ず、自身が使用する携帯電話，ＰＤＡ，パソコン等のユーザ端末に購買支援プログラム４０をインストールする。
【００８３】
次に、ユーザは、自身が買物を行う地域を設定する。すなわち、購買支援プログラム４０の起動により表示デバイス３９に購買リスト画面５０が表示されたならば、地域設定ボタン５２を操作入力する。そうすると、表示デバイス３９の画面が地域設定画面６０に代わり、この画面６０に現時点で設定地域テーブル４１に設定されている地域名が表示されるので、自身が買物を行う地域と一致するか否かを判断する。一致する場合には、戻るボタン６２を操作入力する。これにより、表示デバイス３９の画面が購買リスト画面５０に戻る。
【００８４】
これに対し、地域が異なる場合には、登録ボタン６１を操作入力する。そうすると、表示デバイス３９の画面が地域リスト画面７０に切り換わるので、自身が買物を行う地域の地域名を選択し、決定ボタン７１を操作入力する。そうすると、設定地域テーブル４１のデータが該当地域名のデータに更新される。また、表示デバイス３９の画面が該当地域名の地域設定画面６０に戻るので、戻るボタン６２を操作入力する。これにより、表示デバイス３９の画面が購買リスト画面５０に戻る。
【００８５】
なお、自身が買物を行う地域の地域名が設定地域テーブル４１に設定されていることがわかっている場合には、上述した地域設定動作を省略することができる。
【００８６】
次に購買支援サービスを受ける場合には、ユーザは、購買リスト画面５０の購買ボタン５３を操作入力する。そうすると、表示デバイス３９の画面が分類リスト画面８０に切り換わるので、ユーザは、購入を希望する商品分類名を選択し、選択ボタン８１を操作入力する。そうすると、表示デバイス３９の画面が品目リスト画面９０に切り換わるので、ユーザは、ユーザは、購入を希望する品目名を選択し、選択ボタン９１を操作入力する。
【００８７】
そうすると、自身が買物を行う地域内の店舗で販売されている購入希望品目の全単品リストを示した単品リスト画面１００が表示デバイス３０に表示される。そこでユーザは、単品リストの中から購入を希望する単品名を選択し、選択ボタン１０２を操作入力する。そうすると、自身が買物を行う地域内の店舗の中で当該単品を販売している全店舗のリストを示す販売店舗リスト画面１１０が表示デバイス３０に表示される。
【００８８】
ここで、ユーザが詳細ボタン１１２を操作入力すると、各店舗における当該単品のＮ日間（図では７日間）の価格変動グラフを示す価格変動画面１２０が表示デバイス３０に表示される。これにより、ユーザは、購入を希望する単品について、今後Ｎ日間の中で最も価格の低い時期とその店とを容易に知ることができる。
【００８９】
例えば今、図２８に示す内容の価格変動画面１２０が表示され、ユーザが商品「Ａビール」を店舗Ａで３月３日に購入することを決めたとする。この場合、ユーザは、確認ボタン１２１を操作入力して、表示デバイス３９の画面を販売店舗リスト画面１１０に戻したならば、店舗Ａを選択し、選択ボタン１１３を操作入力する。そうすると、表示デバイス３９の画面が図２９に示す内容の日別価格リスト画面１３０に切り換わるので、ユーザは、３月３日（３／３）を選択し、決定ボタン１３１を操作入力する。
【００９０】
これにより、購買予定テーブル４２に購入日（２００６年３月３日），単品コード，単品名（Ａビール），価格（１８０円），店舗コード及び店舗名（店舗Ａ）の各データが登録される。また、表示デバイス３９の画面が購買リスト画面５０に戻り、図３０に示すように、この画面５０に、購入日（２００６年３月３日），単品名（Ａビール），価格（１８０円）及び店舗名（店舗Ａ）の各データが追加される。
【００９１】
このように本実施の形態の購買支援サーバ１によれば、ユーザ端末３を所持しているユーザに対し、当該ユーザが購入を希望する単品について、今後Ｎ日間の中で最も価格の低い時期とその店とを容易に知らせることができる。しかも、今後の販促企画対象の商品についてはその旨がユーザにわかるように知らせることができる。
【００９２】
また、本実施の形態の購買支援プログラム４０がインストールされたユーザ端末３を用いることによって、ユーザは、当日のみならず翌日以降の購入予定データをも登録することができる。そして、この登録された購入予定データに基づいて購入日別に購入予定商品を示した購買リスト画面５０が表示デバイス３９に表示されるので、買い忘れを防止できる効果も奏する。
【００９３】
かくして、翌日以降の価格を考慮してユーザの買物を支援することができる購買支援システムを構築することができる。
【００９４】
なお、前記実施の形態では、複数の地域に対して共通の購買支援サーバ１を設けた購買支援システムを例示したが、地域毎に購買支援サーバ１を設けてもよい。この場合、地域データベース１１は省略することができる。また、店舗データベース１２の店舗データレコードから属性地域コードを省略することができる。また、ユーザ端末３から設定地域テーブル４１を省略することができる。さらに、購買支援プログラム４０から地域設定処理に関するルーチンも省略することができる。
【００９５】
すなわち、購買支援サーバ１は、各商品とその商品を販売している店舗とを関連付ける情報を記憶する商品／店舗情報記憶手段と、各店舗でそれぞれ販売される商品の本日以降の価格情報を店舗別に記憶する店舗別価格情報記憶手段と、ユーザ端末から購入予定商品を含む問合せ要求コマンドを受信すると、商品／店舗情報記憶手段により記憶されているデータに基づいて当該購入予定商品を販売している店舗を検索する販売店舗検索手段と、この販売店舗検索手段により購入予定商品を販売している店舗が検索されると、店舗別価格情報記憶手段により記憶されているデータに基づいて前記購入予定商品を販売している各店舗それぞれの当該購入予定商品の本日以降の日別価格情報を取得する店舗別日別価格情報取得手段と、この店舗別日別価格情報取得手段により取得した各店舗それぞれの当該購入予定商品の本日以降の日別価格情報を問合せ要求送信元のユーザ端末に送信する価格情報返信手段とを備えたものとなる。またユーザ端末３は、購入予定商品を選択する商品選択手段と、この商品選択手段により選択された購入予定商品の情報を含む問合せ要求コマンドを購買支援サーバに送信するコマンド送信手段と、このコマンド送信手段により送信された問合せ要求コマンドに対して購買支援サーバから返信される店舗毎の日別価格情報を受信すると、その店舗毎の日別価格情報を可視化出力する可視化出力手段とを備えたものとなる。
【００９６】
かかる構成であっても、翌日以降の価格を考慮してユーザの買物を支援することができる購買支援システムを構築することができる。
【図面の簡単な説明】
【００９７】
【図１】本発明の一実施の形態である購買支援システムの全体構成図。
【図２】本実施の形態の購買支援サーバが有する地域データベースに保存される地域データレコードのデータ構造を示す模式図。
【図３】同購買支援サーバが有する店舗データベースに保存される店舗データレコードのデータ構造を示す模式図。
【図４】同購買支援サーバが有する分類データベースに保存される分類データレコードのデータ構造を示す模式図。
【図５】同購買支援サーバが有する品目データベースに保存される品目データレコードのデータ構造を示す模式図。
【図６】同購買支援サーバが有する単品データベースに保存される単品データレコードのデータ構造を示す模式図。
【図７】同購買支援サーバが有する店舗別価格データベースに保存される価格データレコードのデータ構造を示す模式図。
【図８】同購買支援サーバが有する販促企画データベースに保存される販促データレコードのデータ構造を示す模式図。
【図９】同購買支援サーバが実行する店舗別価格データベース更新処理の要部手順を示す流れ図。
【図１０】本実施の形態におけるユーザ端末の要部構成を示すブロック図。
【図１１】同ユーザ端末が購買支援プログラムを実行する上で必要なデータテーブルの構成を示す模式図。
【図１２】同ユーザ端末において購買支援プログラムが起動されたときのＣＰＵの主要な動作手順を示す流れ図。
【図１３】図１２における地域設定処理の要部手順を具体的に示す流れ図。
【図１４】図１２における購買処理の要部手順前半部を具体的に示す流れ図。
【図１５】図１２における購買処理の要部手順後半部を具体的に示す流れ図。
【図１６】前記購買支援サーバが実行する地域設定コマンド受信処理の要部手順を示す流れ図。
【図１７】同購買支援サーバが実行する購買支援コマンド受信処理の要部手順を示す流れ図。
【図１８】同購買支援サーバが実行する分類選択コマンド受信処理の要部手順を示す流れ図。
【図１９】同購買支援サーバが実行する品目選択コマンド受信処理の要部手順を示す流れ図。
【図２０】同購買支援サーバが実行する単品選択コマンド受信処理の要部手順を示す流れ図。
【図２１】前記ユーザ端末の表示デバイスに表示される購買リスト画面の一例を示す模式図。
【図２２】同ユーザ端末の表示デバイスに表示される地域設定画面の一例を示す模式図。
【図２３】同ユーザ端末の表示デバイスに表示される地域リスト画面の一例を示す模式図。
【図２４】同ユーザ端末の表示デバイスに表示される分類リスト画面の一例を示す模式図。
【図２５】同ユーザ端末の表示デバイスに表示される品目リスト画面の一例を示す模式図。
【図２６】同ユーザ端末の表示デバイスに表示される単品リスト画面の一例を示す模式図。
【図２７】同ユーザ端末の表示デバイスに表示される販売店舗リスト画面の一例を示す模式図。
【図２８】同ユーザ端末の表示デバイスに表示される価格変動画面の一例を示す模式図。
【図２９】同ユーザ端末の表示デバイスに表示される日別価格リスト画面の一例を示す模式図。
【図３０】前記ユーザ端末の表示デバイスに表示される購買リスト画面の更新後の一例を示す模式図。
【符号の説明】
【００９８】
１…購買支援サーバ、２…店舗端末、３…ユーザ端末、４，５…ネットワーク、１１…地域データベース、１２…店舗データベース、１３…分類データベース、１４…品目データベース、１５…単品データベース、１６…店舗別価格データベース、１７…販促企画データベース、４１…設定地域テーブル、４２…購買予定テーブル。
【図１】
2007257404.tif 000003
【図２】
2007257404.tif 000004
【図３】
2007257404.tif 000005
【図４】
2007257404.tif 000006
【図５】
2007257404.tif 000007
【図６】
2007257404.tif 000008
【図７】
2007257404.tif 000009
【図８】
2007257404.tif 000010
【図９】
2007257404.tif 000011
【図１０】
2007257404.tif 000012
【図１１】
2007257404.tif 000013
【図１２】
2007257404.tif 000014
【図１３】
2007257404.tif 000015
【図１４】
2007257404.tif 000016
【図１５】
2007257404.tif 000017
【図１６】
2007257404.tif 000018
【図１７】
2007257404.tif 000019
【図１８】
2007257404.tif 000020
【図１９】
2007257404.tif 000021
【図２０】
2007257404.tif 000022
【図２１】
2007257404.tif 000023
【図２２】
2007257404.tif 000024
【図２３】
2007257404.tif 000025
【図２４】
2007257404.tif 000026
【図２５】
2007257404.tif 000027
【図２６】
2007257404.tif 000028
【図２７】
2007257404.tif 000029
【図２８】
2007257404.tif 000030
【図２９】
2007257404.tif 000031
【図３０】
2007257404.tif 000032